Podtech/llm-jp-corpus-v4-ja_patent huggingface dataset:
【手続補正書】
【提出日】平成27年8月6日(2015.8.6)
【手続補正１】
【補正対象書類名】特許請求の範囲
【補正対象項目名】全文
【補正方法】変更
【補正の内容】
【特許請求の範囲】
【請求項１】
減圧を用いて患者の組織部位を治療するシステムにおいて、
前記組織部位に近接して配置する分配マニホールドと；
前記分配マニホールド、および前記患者の無傷の表皮の少なくとも一部分を覆って配置するシール部材であって、少なくとも一部分が実質的に透明であるシール部材と；
前記分配マニホールドに関連付けられて、前記分配マニホールドに減圧をもたらす減圧源と；
前記分配マニホールドを実質的に囲むようなサイズにされかつそのように構成された漏れ検出部材であって、検出材の一部分が空気にさらされかつ一部分が空気にさらされないときに、色対比を生じる検出材を含む漏れ検出部材と
を含むことを特徴とする、システム。
【請求項２】
請求項１に記載のシステムにおいて、前記漏れ検出部材が、前記検出材を含む複数の同心部材を含むことを特徴とする、システム。
【請求項３】
請求項１または２に記載のシステムにおいて、さらに検出ツールを含み、および前記検出材が、作動状態の前記検出ツールにさらされると蛍光性となりかつ酸素にさらされると蛍光性が弱まる材料を含むことを特徴とする、システム。
【請求項４】
請求項１または２に記載のシステムにおいて、さらに検出ツールを含み、および前記検出材が、作動状態の前記検出ツールにさらされると蛍光性となりかつ酸素にさらされると蛍光性が強まる染料を含むことを特徴とする、システム。
【請求項５】
請求項１または２に記載のシステムにおいて、前記検出材が、前記空気中の二酸化炭素にさらされると対比を生じる材料を含むことを特徴とする、システム。
【請求項６】
請求項５に記載のシステムにおいて、前記検出材が、リトマス、ブロモクレゾールパープル、ブロモクレゾールブルー、アゾリトミン、メチルレッド、およびブロモクレゾールグリーンのうちの少なくとも１つを含むことを特徴とする、システム。
【請求項７】
請求項１または２に記載のシステムにおいて、前記検出材が、前記空気中の酸素にさらされると対比を生じる材料を含むことを特徴とする、システム。
【請求項８】
請求項６に記載のシステムにおいて、前記検出材が、メチレンブルー、Ｎ−フェニルアントラニル酸、二酸化チタン、およびグリセロールのうちの少なくとも１つを含むことを特徴とする、システム。
【請求項９】
減圧を用いて患者の組織部位を治療するシステムにおいて、
前記組織部位に近接して配置する分配マニホールドと；
前記分配マニホールド、および前記患者の無傷の表皮の少なくとも一部分を覆って配置するシール部材であって、少なくとも一部分が実質的に透明であるシール部材と；
前記分配マニホールドに関連付けられて、前記分配マニホールドに減圧をもたらす減圧源と；
前記分配マニホールドを実質的に囲むようなサイズにされかつそのように構成された漏れ検出部材であって、前記検出材の一部分が抗体ガスにさらされかつ一部分が前記抗体ガスにさらされないときに、色対比を生じる検出材を含む漏れ検出部材と；
前記シール部材に抗体ガスを噴霧するための抗体ガス分配器と
を含むことを特徴とする、システム。
【請求項１０】
請求項９に記載のシステムにおいて、前記抗体ガスが二酸化炭素であることを特徴とする、システム。
【請求項１１】
減圧を用いて患者の組織部位を治療するシステムにおいて、
前記組織部位に近接して配置する分配マニホールドと；
前記分配マニホールド、および前記患者の無傷の表皮の少なくとも一部分を覆って配置するシール部材であって、少なくとも一部分が実質的に透明であるシール部材と；
前記分配マニホールドに関連付けられて、前記分配マニホールドに減圧をもたらす減圧源と；
皮膚用調製液の一部分が空気にさらされかつ一部分が空気にさらされないときに、色対比を生じる検出材を含む皮膚用調製液と
を含むことを特徴とする、システム。
【請求項１２】
減圧を用いて患者の組織部位を治療するシステムにおいて、
前記組織部位に近接して配置する分配マニホールドと；
前記分配マニホールド、および前記患者の無傷の表皮の少なくとも一部分を覆って配置するシール部材であって、前記シール部材の前記組織対面側面が、少なくとも部分的に第１の作用物質によって被覆され、および前記シール部材の少なくとも一部分が実質的に透明である、シール部材と；
前記分配マニホールドに関連付けられて、前記分配マニホールドに減圧をもたらす減圧源と；
第２の作用物質を含む皮膚用調製液であって、前記シール部材の前記第１の作用物質と前記皮膚用調製液の前記第２の作用物質が結合すると、前記第１の作用物質と第２の作用物質との接触を示す接触色を形成する、皮膚用調製液と
を含むことを特徴とする、システム。
【請求項１３】
減圧を用いて患者の組織部位を治療するシステムの製造方法において、
前記組織部位に近接して配置する分配マニホールドを形成するステップと；
前記分配マニホールド、および前記患者の無傷の表皮の少なくとも一部分を覆って配置するシール部材を形成するステップであって、前記シール部材の少なくとも一部分が実質的に透明であるステップと；
前記分配マニホールドに流体的に結合するための減圧源を提供するステップと；
前記分配マニホールドを実質的に囲むようなサイズにされかつそのように構成された漏れ検出部材を形成するステップであって、前記漏れ検出部材が、検出材の一部分が空気にさらされかつ一部分が空気にさらされないときに、色対比を生じる検出材を含むステップと
を含むことを特徴とする、方法。
【請求項１４】
減圧を用いて患者の組織部位を治療するシステムにおいて、
前記組織部位に近接して配置する分配マニホールドと；
前記分配マニホールド、および前記患者の無傷の表皮の少なくとも一部分を覆って配置するシール部材であって、前記シール部材の少なくとも一部分が実質的に透明であり、および組織対面側面において少なくとも部分的に親水性接着剤で被覆されるフィルムを含むシール部材と；
前記分配マニホールドに関連付けられて、前記分配マニホールドに減圧をもたらす減圧源と
を含み、
減圧下で、前記組織部位からの流体滲出液が、減圧が作用している箇所で前記親水性接着剤と接触し、かつ減圧が作用していない個所では前記親水性接着剤と接触しないことを特徴とする、システム。
【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
グループによる動作のために、複数のトランスデューサ素子のうちの多くの素子の部分に対応して一つ又はそれより多くのグループの間でそれぞれ割り当てるための前記複数のトランスデューサ素子のアレイと、
前記割り当てに基づいて、前記動作は、前記グループのうちの現在のグループの前記素子を用いて時間的に並行して、及びグループによって時間的に連続して、イメージングするように構成される超音波画像収集プロセッサと
を有する超音波装置であって、前記グループは相互に素子に関して互いにかみ合うように互いに対して空間的に配置され、時間的に並行してイメージングする前記動作は、非フェイズド態様で独立にイメージングするために前記グループのうちの前記現在のグループの前記素子を動作させることを有する、超音波装置。
【請求項２】
医用画像収集のため、及び血管のマップを形成する、前記動作を介したイメージングために構成され、前記アレイは前記動作のための非フェイズドアレイを有し、前記装置は前記イメージングにおいて使用されるビームをフォーカスするためにもステアリングするためにも前記一つ又はそれより多くのグループの前記素子のいずれも集合的に使用しない、請求項１に記載の装置。
【請求項３】
前記独立のイメージングは前記グループのうちの前記現在のグループの前記素子を介したイメージングを有し、前記プロセッサは更に、前記独立のイメージングにおいて前記素子を介して、前記素子に空間的に対応するピクセルに関連するドップラパワーを測定し、前記装置は前記測定の結果に基づいて、前記ピクセルに関する有無を決定するために構成される、請求項１に記載の装置。
【請求項４】
前記プロセッサはさらに前記グループ分けを変更する、請求項１に記載の装置。
【請求項５】
前記プロセッサは更に、前記イメージングを分析するため、及び前記分析の結果に基づいて前記変更を実行するために構成される、請求項４に記載の装置。
【請求項６】
前記変更が、その少なくとも一つがグループの素子間の、各自の最小非ゼロ素子間非隣接性度によって特徴付けられる、少なくとも二つの間隔状態の一方と他方との間の移行を有する、請求項４に記載の装置。
【請求項７】
医用画像収集のため、及び血管サイズと血管深さとの少なくとも一つを示す入力に応答した自動的な前記移行のために構成される、請求項６に記載の装置。
【請求項８】
前記現在のグループの前記素子が対応する幾何学的中心を持つ各面を持ち、前記装置が前記現在のグループの素子間の、最小非ゼロ素子間非隣接性度について構成され、当該最小値は前記幾何学的中心間の最小距離をあらわす、請求項１に記載の装置。
【請求項９】
前記現在のグループの前記素子は一つ又はそれより多くのペアの素子を集合的に有し、前記装置は、前記最小距離が、前記一つ又はそれより多くのペアに対して、前記グループの別のものの一部の素子が前記ペア間に完全に介在するように仮想的にシフトされることを可能にするために十分であり、前記幾何学的中心が同一線上にない場合、前記対応する幾何学的中心を同一線上にする、請求項８に記載の装置。
【請求項１０】
前記現在のグループの前記素子は一つ又はそれより多くのペアの素子を集合的に有し、前記装置は、前記最小距離が、前記一つ又はそれより多くのペアに対して、前記グループの別の一つ又はそれより多くの一部の二素子が前記ペア間に集合的に介在するように仮想的にシフトされることを可能にするために十分であり、前記幾何学的中心が同一線上にない場合、前記対応する幾何学的中心を同一線上にする、請求項８に記載の装置。
【請求項１１】
前記現在のグループの素子が前記グループの別のものの少なくとも一つの各介在素子によってペアに関して分離される、請求項１に記載の装置。
【請求項１２】
前記グループが素子に関して相互排他的である、請求項１に記載の装置。
【請求項１３】
前記イメージングが医用イメージングを有し、前記装置は、一つよりも多くの前記グループの間の前記割り当てに基づく前記動作のために構成される、請求項１に記載の装置。
【請求項１４】
手持ち式の、スタンドアロンの診断装置が前記装置を有する、請求項１に記載の装置。
【請求項１５】
トランスデューサ素子のうちの多くの素子の一つ又はそれより多くのグループにグループ分けされる前記トランスデューサ素子の非フェイズドアレイを有する超音波イメージング装置のためのコンピュータ可読媒体であって、前記媒体は、一連の動作を実行するためのプロセッサによって実行可能な命令を有し、その中でも前記動作が、
前記グループのうちの現在のグループの前記素子を用いて時間的に並行して、及びグループによって時間的に連続して、前記アレイを介してイメージングし、前記イメージングは素子に関して独立に実行され、当該グループはペアに関して、相互に素子に関して互いにかみ合うように互いに対して空間的に配置される、コンピュータ可読媒体。
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
第一末端と、第二末端と、第一末端と第二末端との間のバレルとを有する筐体であって、バレルは筐体の内部の内容物の視認を可能にするための長尺窓を含む、筐体と、
筐体の内部に設けられ、第一末端と、第二末端と、第一末端と第二末端との間のリザーバとを有するシリンジと、
少なくとも部分的にシリンジの内部に設けられ、プランジャの一部に視覚表示器を含むプランジャと、
筐体の内部に設けられており、シリンジを含み、筐体内のシリンジを第一位置と第二位置との間で変位させるように構成されているシリンジ担体であって、シリンジ担体は実質的に透明であり、シリンジ担体が第一位置にあるときに長尺窓およびリザーバと位置合わせするように構成された少なくとも第一開口部を有する、シリンジ担体と、を含む自動注入装置。
【請求項２】
筐体が、シールドを受容するために長尺窓を包囲する面取り縁をさらに含む、請求項１に記載の自動注入装置。
【請求項３】
シールドが、紫外線が長尺窓を通じて筐体に侵入するのを防止するように構成されている、請求項２に記載の自動注入装置。
【請求項４】
長尺窓が実質的に対称的な楕円形状を有する、請求項１に記載の自動注入装置。
【請求項５】
長尺窓が少なくとも１つのテーパ状末端を有する、請求項１に記載の自動注入装置。
【請求項６】
少なくとも１つの開口部が、シリンジ担体が第一位置にあるときに長尺窓およびリザーバと位置合わせするように構成された第一開口部を含む、請求項１に記載の自動注入装置。
【請求項７】
シリンジ担体が、シリンジ担体が第一位置にあるときにリザーバ内の実質的にすべての液体治療薬の視認を可能にするように構成されている、請求項１に記載の自動注入装置。
【請求項８】
シリンジ担体が、シリンジ担体が第二位置にあるときに長尺窓および視覚表示器と位置合わせするように構成された第二開口部をさらに含む、請求項１に記載の自動注入装置。
【請求項９】
シリンジ担体が、第一および第二開口部の間の中間部をさらに含み、中間部はシリンジ担体の変形に耐えられるサイズである、請求項８に記載の自動注入装置。
【請求項１０】
第一開口部が、第二開口部よりも筐体の第一末端の近くに位置している、請求項８に記載の自動注入装置。
【請求項１１】
シリンジ担体が第一および第二脚部をさらに含み、第一および第二脚部は第一開口部の少なくとも一部を画定する、請求項１に記載の自動注入装置。
【請求項１２】
シリンジ担体が第一および第二対の脚部と、第二開口部とをさらに含み、第一開口部は前開口部分と後開口部分とを含み、第一対の脚部は前開口部分の少なくとも一部を画定し、第二対の脚部は後開口部分の少なくとも一部を画定する、請求項１に記載の自動注入装置。
【請求項１３】
第一位置が注入前位置である、請求項１に記載の自動注入装置。
【請求項１４】
第二位置が注入後位置である、請求項１に記載の自動注入装置。
【請求項１５】
外側部分を有するキャップをさらに含み、筐体の第一末端はキャップの外側部分を受容するように構成されており、キャップの外側部分はキャップ切り欠きを含み、長尺窓の一部は、長尺窓の邪魔をしないようにキャップが筐体を受容するときにキャップ切り欠きと位置合わせする、請求項１に記載の自動注入装置。
【請求項１６】
少なくとも部分的に筐体の内部に設けられたシュラウドをさらに含み、シュラウドの一部はシュラウド切り欠きを有する筐体の内部に設けられており、シュラウド切り欠きは、長尺窓の邪魔をしないように長尺窓の少なくとも一部と位置合わせする、請求項１に記載の自動注入装置。
【請求項１７】
リザーバ内に液体治療薬をさらに含み、液体治療薬は０．４ｍＬの量を有する、請求項１に記載の自動注入装置。
【請求項１８】
リザーバ内に液体治療薬をさらに含み、液体治療薬は０．８ｍＬの量を有する、請求項１に記載の自動注入装置。
【請求項１９】
リザーバ内に液体治療薬をさらに含み、液体治療薬はタンパク質を含む、請求項１に記載の自動注入装置。
【請求項２０】
リザーバ内に液体治療薬をさらに含み、液体治療薬はアダリムマブである、請求項１に記載の自動注入装置。
【請求項２１】
第一末端と、第二末端と、第一末端と第二末端との間のバレルとを有する筐体であって、バレルは筐体の内部の内容物の視認を可能にするための長尺窓を含む、筐体と、
筐体の内部に設けられ、第一末端と、第二末端と、第一末端と第二末端との間のリザーバとを有するシリンジと、
少なくとも部分的にシリンジの内部に設けられ、プランジャの一部に視覚表示器を含むプランジャと、
筐体の内部に設けられており、シリンジを含み、筐体内のシリンジを第一位置と第二位置との間で変位させるように構成されているシリンジ担体であって、シリンジ担体は実質的に透明であって、第一および第二脚部ならびにその間に設けられた伸長部を有し、伸長部の少なくとも一部は、シリンジ担体が第一位置にあるときに長尺窓およびリザーバと位置合わせするように構成されている、シリンジ担体と、を含む自動注入装置。
【請求項２２】
シリンジ担体が透明側壁をさらに含み、透明側壁の少なくとも一部は、シリンジ担体が第二位置にあるときに長尺窓および視覚表示器と位置合わせするように構成されている、請求項２１に記載の自動注入装置。
【請求項２３】
第一開口部が、第二開口部よりも筐体の第一末端の近くに位置している、請求項２１に記載の自動注入装置。
【請求項２４】
第一位置が注入前位置である、請求項２１に記載の自動注入装置。
【請求項２５】
第二位置が注入後位置である、請求項２１に記載の自動注入装置。
【請求項２６】
シリンジ担体が、シリンジ担体が第一位置にあるときにリザーバ内の実質的にすべての液体治療薬の視認を可能にするように構成されている、請求項２１に記載の自動注入装置。
【請求項２７】
リザーバ内に液体治療薬をさらに含み、液体治療薬は０．４ｍＬの量を有する、請求項２１に記載の自動注入装置。
【請求項２８】
リザーバ内に液体治療薬をさらに含み、液体治療薬は０．８ｍＬの量を有する、請求項２１に記載の自動注入装置。
【請求項２９】
リザーバ内に液体治療薬をさらに含み、液体治療薬はタンパク質を含む、請求項２１に記載の自動注入装置。
【請求項３０】
リザーバ内に液体治療薬をさらに含み、液体治療薬はアダリムマブである、請求項２１に記載の自動注入装置。
【請求項３１】
第一および第二脚部ならびにその間に設けられた伸長部をさらに含み、伸長部の少なくとも一部は、シリンジ担体が第一位置にあるときに長尺窓およびリザーバと位置合わせするように構成されている、請求項１に記載の自動注入装置。
【請求項３２】
第一開口部は、シリンジ担体が第二位置にあるときに長尺窓および視覚表示器と位置合わせするように構成されている、請求項１に記載の自動注入装置。
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
第一末端と、第二末端と、第一末端と第二末端との間のバレルとを有する筐体であって、バレルは筐体の内部の内容物の視認を可能にするための長尺窓を含む、筐体と、
筐体の内部に設けられ、第一末端と、第二末端と、第一末端と第二末端との間のリザーバとを有するシリンジと、
少なくとも部分的にシリンジの内部に設けられ、プランジャの一部に視覚表示器を含むプランジャと、
筐体の内部に設けられておりかつ第一末端および第二末端を有し、シリンジを含み、筐体内のシリンジを第一位置と第二位置との間で変位させるように構成されているシリンジ担体であって、シリンジ担体は、シリンジ担体の第一末端の近傍にある第一開口部と、シリンジ担体の第二末端の近傍にありかつシリンジ担体の長さに沿って第一開口部と位置合わせされる第二開口部とを有し、第一開口部はシリンジ担体が第一位置にあるときに長尺窓およびリザーバと位置合わせするように構成され、第二開口部はシリンジ担体が第二位置にあるときに長尺窓および視覚表示器と位置合わせするように構成されている、シリンジ担体と、を含む自動注入装置。
【請求項２】
長尺窓が、実質的に対称的な楕円形または錠剤型の形状を有する、請求項１に記載の自動注入装置。
【請求項３】
筐体が、シールドを受容するために長尺窓を包囲する面取り縁をさらに含む、請求項１に記載の自動注入装置。
【請求項４】
シールドが、紫外線が長尺窓を通じて筐体に侵入するのを防止するように構成されている、請求項３に記載の自動注入装置。
【請求項５】
第一末端と第二末端とを有する発射体をさらに含み、発射体の第一末端は筐体の第二末端の近傍で筐体と係合し、発射体は第一末端と第二末端との間に設けられた１つ以上の対合タブを含む、請求項１に記載の自動注入装置。
【請求項６】
キャップと位置合わせしてその不注意による抜去を防止するために、発射体の１つ以上の対合タブを受容するサイズおよび形状の１つ以上のレセプタクルを有するキャップをさらに含む、請求項５に記載の自動注入装置。
【請求項７】
１つ以上のレセプタクルおよび１つ以上の対合タブは花びら形である、請求項６に記載の自動注入装置。
【請求項８】
シリンジ担体が第一および第二開口部の間の中間部をさらに含み、中間部はシリンジ担体の変形に耐えられるサイズである、請求項１に記載の自動注入装置。
【請求項９】
第一開口部が、第二開口部よりも筐体の第一末端の近くに位置している、請求項１に記載の自動注入装置。
【請求項１０】
第一位置が注入前位置である、請求項１に記載の自動注入装置。
【請求項１１】
第二位置が注入後位置である、請求項１に記載の自動注入装置。
【請求項１２】
外側部分を有するキャップをさらに含み、筐体の第一末端はキャップの外側部分を受容するように構成されており、キャップの外側部分はキャップ切り欠きを含み、長尺窓の一部は、長尺窓を邪魔しないようにキャップが筐体を受容するときにキャップ切り欠きと位置合わせする、請求項１に記載の自動注入装置。
【請求項１３】
キャップが内側部分をさらに含み、内側部分は外側部分を超えて突出している分割ハブを含み、分割ハブはハブ開口部を画定し、ハブ開口部は、長尺窓を邪魔しないようにキャップが筐体を受容するときに長尺窓の少なくとも一部と位置合わせする、請求項１２に記載の自動注入装置。
【請求項１４】
キャップの内側部分が外周リッジをさらに含む、請求項１３に記載の自動注入装置。
【請求項１５】
シリンジの第一末端から突出する針と、針の一部を包囲する針シールドとをさらに含み、外周リッジは、キャップの内側部分の中に針シールドを固定するように構成されている、請求項１４に記載の自動注入装置。
【請求項１６】
針シールドが、キャップが筐体から取り外されたときにキャップの内側部分に保持される、請求項１５に記載の自動注入装置。
【請求項１７】
キャップが、内側半径方向溝と、外側半径方向溝と、内側半径方向溝と外側半径方向溝との間の半径方向壁とを含む、請求項１２に記載の自動注入装置。
【請求項１８】
半径方向壁が２つ以上の弓形壁セグメントを含む、請求項１７に記載の自動注入装置。
【請求項１９】
少なくとも部分的に筐体の内部に設けられたシュラウドをさらに含み、シュラウドの一部は、シュラウド切り欠きを備える筐体の内部に設けられ、シュラウド切り欠きは、長尺窓の邪魔をしないように長尺窓の少なくとも一部と位置合わせしている、請求項１に記載の自動注入装置。
【請求項２０】
装置の第一末端の近傍に設けられた第一キャップと、装置の第二末端の近傍に設けられた第二キャップとをさらに含み、第一キャップおよび第二キャップは各々、取り外しシーケンスの段階または取り外し方向を示す１つ以上の目印を有し、１つ以上の目印は、対応するキャップと比較して強調色または対照色を有する、請求項１に記載の自動注入装置。
【請求項２１】
リザーバ内に液体治療薬をさらに含む、請求項１に記載の自動注入装置。
【請求項２２】
液体治療薬がタンパク質を含む、請求項１９に記載の自動注入装置。
【請求項２３】
液体治療薬がアダリムマブを含む、請求項１９に記載の自動注入装置。
【請求項２４】
第一キャップが針シュラウドキャップを含み、第二キャップが取り外し可能なアクチュエータキャップを含む、請求項２０に記載の自動注入装置。
【請求項２５】
筐体が、筐体の内部の内容物の視認を可能にするための長尺窓を有する第一筐体部品と、第二筐体部品とを含み、第二筐体部品は、第二筐体部品の外面から突出する対合タブを有し、第一筐体部品と対合可能であり、自動注入装置はさらに、第二筐体部品の外面から突出する対合タブと協働して係合するサイズおよび形状のレセプタクルを有する取り外し可能なアクチュエータキャップを含む、請求項１に記載の自動注入装置。
【手続補正書】
【提出日】平成27年9月18日(2015.9.18)
【手続補正１】
【補正対象書類名】特許請求の範囲
【補正対象項目名】全文
【補正方法】変更
【補正の内容】
【特許請求の範囲】
【請求項１】
第一末端と、第二末端と、第一末端と第二末端との間のバレルとを有する筐体であって、バレルは筐体の内部の内容物の視認を可能にするための長尺窓を含む、筐体と、
筐体の内部に設けられ、第一末端と、第二末端と、第一末端と第二末端との間のリザーバとを有するシリンジと、
少なくとも部分的にシリンジの内部に設けられ、プランジャの一部に視覚表示器を含むプランジャと、
筐体の内部に設けられており、シリンジを含み、筐体内のシリンジを第一位置と第二位置との間で変位させるように構成されているシリンジ担体であって、少なくとも１つの開口部と、少なくとも１つの開口部の少なくとも一部を画定する少なくとも１対の脚部とを有するシリンジ担体と、を含む自動注入装置。
【請求項２】
少なくとも１つの開口部が、シリンジ担体が第一位置にあるときにリザーバと位置合わせするように構成されている、請求項１に記載の自動注入装置。
【請求項３】
少なくとも１つの開口部が、第一開口部および第二開口部を含み、少なくとも１対の脚部は、第一開口部の少なくとも一部を画定し、第一開口部は、シリンジ担体が第一位置にあるときに長尺窓およびリザーバと位置合わせするように構成されており、第二開口部は、シリンジ担体が第二位置にあるときに長尺窓および視覚表示器と位置合わせするように構成されている、請求項１に記載の自動注入装置。
【請求項４】
第一開口部が、第二開口部よりも筐体の第一末端に近い位置にある、請求項３に記載の自動注入装置。
【請求項５】
シリンジ担体が第一および第二開口部の間の中間部をさらに含み、中間部はシリンジ担体の変形に耐えられるサイズになっている、請求項３に記載の自動注入装置。
【請求項６】
１対の脚部が、シリンジ担体の中間部から延在し、各脚部は、シリンジ担体の中間部の近傍により大きい断面寸法を有するようにテーパ状になっている、請求項５に記載の自動注入装置。
【請求項７】
筐体が、注入部位に向かうシリンジ担体の移動を防止するために少なくとも１対の脚部と係合するように構成された、少なくとも１つの内部ストッパをさらに含む、請求項１に記載の自動注入装置。
【請求項８】
少なくとも１対の脚部の各脚部が、注入部位に向かうシリンジ担体の移動を防止するために少なくとも１つの内部ストッパと係合するアンカー部を含む、請求項７に記載の自動注入装置。
【請求項９】
各脚部のアンカー部が半径方向外向きに突出している、請求項８に記載の自動注入装置。
【請求項１０】
アンカー部が、注入部位に向かうシリンジ担体の移動を防止するサイズの少なくとも１つの突起を含む、請求項８に記載の自動注入装置。
【請求項１１】
アンカー部が、注入部位から離れるシリンジ担体の移動を防止するサイズの少なくとも１つの突起を含む、請求項８に記載の自動注入装置。
【請求項１２】
アンカー部が、第一突起および第二突起を含み、第一突起は、注入部位から離れるシリンジ担体の移動を防止するための少なくとも１つの内部ストッパを超える第一突起の移動を防止するサイズになっており、第二突起は、シリンジ担体が少なくとも１つの内部ストッパを超えて第二突起を注入部位の方向に移動させるように付勢されるまで、注入部位に向かうシリンジ担体の移動を防止するサイズになっている、請求項８に記載の自動注入装置。
【請求項１３】
第一突起が第二突起よりも大きい、請求項１２に記載の自動注入装置。
【請求項１４】
第二突起が弓形表面部を含み、内部ストッパは、シリンジ担体が注入部位に向かって付勢されたときに、弓形表面部に当接するように構成された面取り縁部を含む、請求項１２に記載の自動注入装置。
【請求項１５】
内部ストッパを超えて第二突起を移動させるためにシリンジ担体に印加される第一力量が、シリンジの内部でプランジャを前進させるためにプランジャに印加される第二力量よりも少ない、請求項１２に記載の自動注入装置。
【請求項１６】
少なくとも１対の脚部が、第一対の脚部および第二対の脚部を含み、第一長尺開口部は前開口部分および後開口部分を含み、第一対の脚部は前開口部分の少なくとも一部を画定し、第二対の脚部は後開口部分の少なくとも一部を画定する、請求項１に記載の自動注入装置。
【請求項１７】
第一位置が注入前位置である、請求項１に記載の自動注入装置。
【請求項１８】
第二位置が注入後位置である、請求項１に記載の自動注入装置。
【請求項１９】
リザーバ内の液体治療薬をさらに含む、請求項１に記載の自動注入装置。
【請求項２０】
液体治療薬がタンパク質を含む、請求項１９に記載の自動注入装置。
【請求項２１】
液体治療薬がアダリムマブを含む、請求項１９に記載の自動注入装置。
【請求項２２】
少なくとも１対の脚部は、シリンジ担体のバレルの周りに円周方向に分布された第一対の脚部および第二対の脚部を含み、
少なくとも１つの開口部は、第一開口部および第二開口部を含む、請求項１に記載の自動注入装置。
【手続補正書】
【提出日】平成27年7月31日(2015.7.31)
【手続補正１】
【補正対象書類名】特許請求の範囲
【補正対象項目名】全文
【補正方法】変更
【補正の内容】
【特許請求の範囲】
【請求項１】
着用可能治療装置であって、
感知電極を含む衣服と、
前記衣服の少なくとも一部に含まれる誘導性素子および容量性素子の少なくとも一方と、
前記誘導性素子のインダクタンスおよび前記容量性素子の容量の少なくとも一方に基づき、前記感知電極から受取られた情報の信頼度を判断するよう構成されているコントローラとを備える、着用可能治療装置。
【請求項２】
前記コントローラに結合され、前記信頼度に基づき対象者に通知を与えるよう構成されているアラームモジュールをさらに備える、請求項１に記載の装置。
【請求項３】
前記通知は、前記衣服が対象者に対して正しく位置付けられている、対象者に対して緩すぎて位置付けられている、および対象者に対してきつすぎて位置付けられている、のいずれかを示す、請求項２に記載の装置。
【請求項４】
前記コントローラは、前記誘導性素子のインダクタンスおよび前記容量性素子の容量の前記少なくとも一方に基づき、前記衣服の膨張、前記衣服の収縮、前記衣服の不適切な位置付け、および前記衣服の変位の少なくとも１つを特定するようさらに構成されている、請求項１に記載の装置。
【請求項５】
さらに、
前記衣服に含まれる治療用電極をさらに備え、
前記コントローラは、前記誘導性素子のインダクタンスおよび前記容量性素子の容量の前記少なくとも一方に基づき、前記衣服の膨張、前記衣服の不適切な位置付け、および前記衣服の変位の少なくとも１つを特定し、前記衣服の膨張、前記衣服の不適切な位置付け、および前記衣服の変位の前記少なくとも１つに基づき、前記感知電極および前記治療用電極の少なくとも一方の位置付けは許容範囲外であると判断し、前記感知電極および前記治療用電極の前記少なくとも一方の位置付けに基づき、前記治療用電極による対象者への治療を差し控えるよう、さらに構成されている、請求項１に記載の装置。
【請求項６】
前記衣服に含まれる治療用電極をさらに備え、
前記コントローラは、前記誘導性素子のインダクタンスおよび前記容量性素子の容量の前記少なくとも一方に基づき、前記衣服の膨張を特定し、前記衣服の膨張に基づき、対象者の呼吸機能を判断するよう、さらに構成されている、請求項４に記載の装置。
【請求項７】
前記コントローラは、前記誘導性素子のインダクタンスおよび前記容量性素子の容量の前記少なくとも一方に基づき、前記衣服の膨張、前記衣服の不適切な位置付け、および前記衣服の変位の少なくとも１つを特定するようにさらに構成され、前記装置は、
前記衣服の膨張、前記衣服の不適切な位置付け、および前記衣服の変位の前記少なくとも１つに基づき、前記感知電極および治療用電極の少なくとも一方の位置付けについて、対象者に指示を与えるよう構成されているアラームモジュールをさらに備える、請求項１に記載の装置。
【請求項８】
前記コントローラは、
不整脈性心臓事象を特定し、
前記信頼度に基づき前記衣服に含まれる治療用電極の位置付けを確認し、
対象者に治療を施すよう前記治療用電極に指示するよう、さらに構成されている、請求項１に記載の装置。
【請求項９】
前記衣服は、
前記誘導性素子および前記容量性素子の前記少なくとも一方と、前記感知電極、前記コントローラ、アラームモジュール、治療用電極、および除細動器のうちの少なくとも一つとを含むよう構成されている、ベルトおよびストラップの少なくとも一方を含む、請求項１に記載の装置。
【請求項１０】
前記着用可能治療装置は、前記誘導性素子および前記容量性素子の両方を含み、前記コントローラは、前記誘導性素子のインダクタンスおよび前記容量性素子の容量の両方に基づき、前記感知電極から受取られた情報の前記信頼度を判断するよう構成されている、請求項１に記載の装置。
【請求項１１】
対象者のケアを促進する方法であって、
着用可能治療装置内に含まれる感知電極から対象者についての情報を受取ること、
前記着用可能治療装置に含まれる誘導性素子のインダクタンスおよび容量性素子の容量の少なくとも一方を判断すること、および
前記誘導性素子のインダクタンスおよび前記容量性素子の容量の前記少なくとも一方に基づき、対象者についての情報の信頼度を判断することを備える、方法。
【請求項１２】
前記着用可能治療装置は、ベルトおよび衣服の少なくとも一方を含み、前記方法はさらに、
前記誘導性素子のインダクタンスおよび前記容量性素子の容量の前記少なくとも一方に基づき、前記ベルトおよび前記衣服の前記少なくとも一方の膨張を特定すること、および
前記ベルトおよび前記衣服の前記少なくとも一方の前記膨張に基づき、前記信頼度を判断することを備える、請求項１１に記載の方法。
【請求項１３】
前記着用可能治療装置は、衣服および治療用電極を含み、前記方法はさらに
前記誘導性素子のインダクタンスおよび前記容量性素子の容量の前記少なくとも一方に基づき、前記衣服の膨張、前記衣服の不適切な位置付け、および前記衣服の変位の少なくとも１つを特定すること、および
前記衣服の膨張、前記衣服の不適切な位置付け、および前記衣服の変位の前記少なくとも１つに基づき、前記感知電極および前記治療用電極の少なくとも一方の位置付けについて対象者に指示を与えることを備える、請求項１１に記載の方法。
【請求項１４】
前記コントローラは、前記インダクタンスおよび前記容量の少なくとも一方に基づき、前記感知電極が対象者に対して正しく位置付けられていることを判断することによって、前記信頼度を少なくとも部分的に判断するよう構成されている、請求項１に記載の装置。
【請求項１５】
実行可能な命令を記憶する一時的でないコンピュータ読取可能媒体であって、前記コンピュータ読取可能媒体は、請求項１１〜１３のいずれかに従い、対象者のケアを促進する方法を少なくも１つのコントローラが行なうように指示するように構成されている、コンピュータ読取可能媒体。
【手続補正書】
【提出日】平成27年8月11日(2015.8.11)
【手続補正１】
【補正対象書類名】特許請求の範囲
【補正対象項目名】全文
【補正方法】変更
【補正の内容】
【特許請求の範囲】
【請求項１】
容量性電力伝送システム内に接続された負荷に電力を供給するための製品であって、
非導電材料のシートと、
前記シートに取り付けられた複数の導電性ストライプであって、各２つの隣接する導電性ストライプは互いに電気的に絶縁される複数の導電性ストライプと、
前記シートに取り付けられ、前記各２つの隣接する導電性ストライプのうちの第１導電性ストライプに接続された第１導電線と、
前記シートに取り付けられ、前記各２つの隣接する導電性ストライプのうちの第２導電性ストライプに接続された第２導電線とを有し、前記第２導電性ストライプは前記第１導電性ストライプに隣接し、前記シートは前記容量性伝送システムの絶縁層を形成し、前記複数の導電性ストライプは前記容量性電力伝送システムの送信機電極の少なくともペアを形成する、製品。
【請求項２】
前記シートの材料は、壁紙、石膏、ポリマーシート、高圧積層板、ガラス、中密度繊維板、及び犠牲層のいずれか１つである、請求項１に記載の製品。
【請求項３】
前記２つの隣接する導電性ストライプのうちの第１導電性ストライプは第１電位に接続され、前記２つの隣接する導電性ストライプのうちの第２導電性ストライプは第２電位に接続され、前記第２電位の極性は前記第１電位の極性と反対である、請求項１に記載の製品。
【請求項４】
前記第１導電線及び前記第２導電線は、前記第１導電性ストライプ及び前記第２導電性ストライプに対して垂直に取り付けられる、請求項１に記載の製品。
【請求項５】
前記第１導電性ストライプに接続された第１導電線、及び前記第２導電性ストライプに接続された第２導電線を有するベースボードへの接続のためのインターフェイスをさらに有する、請求項３に記載の製品。
【請求項６】
前記複数の導電性ストライプを覆う保護層をさらに有する、請求項１に記載の製品。
【請求項７】
電力ドライバによって生成された電力信号の周波数が、インダクタ及び前記送信機電極ペアと前記受信機電極ペアとの間に形成された容量性インピーダンスの直列共振周波数と実質的に合致する場合、前記電力信号は、前記負荷に給電するために、前記絶縁層に結合された前記送信機電極ペアから、前記負荷及び前記インダクタに接続された受信機電極ペアに無線で伝送される、請求項１に記載の製品。
【請求項８】
前記導電性ストライプは、導電性インク及び導電性塗料のいずれかを含む、請求項１に記載の製品。
【請求項９】
容量性電力伝送システム内に接続された負荷に電力を供給するための製品であって、
幅及び長さを有する絶縁表面と、
前記絶縁表面の第１辺の長さに沿って取り付けられた、電気導電材料からなる第１セグメントと、
前記絶縁表面の前記第１辺とは反対の辺の長さに沿って取り付けられた、電気導電材料からなる第２セグメントとを有し、前記第２セグメントは前記第１辺から電気的に隔離され、前記第１セグメントは、第１極性の電位に接続され、第２セグメントは、前記第１極性とは反対の第２極性の電位に接続され、前記第１及び第２セグメントは、前記容量性電力伝送システムの送信機電極の少なくともペアを形成する、製品。
【請求項１０】
第１供給ライン及び第２供給ラインをさらに有し、前記第１供給ラインは前記第１セグメントに接続され、前記第１供給ライン及び前記第２供給ラインは電気接続することなく交差する、請求項９に記載の製品。
【請求項１１】
前記第１セグメント及び前記第２セグメントは、鉄、鉄鋼、及びアルミニウムのいずれか１つからなる、請求項９に記載の製品。
【請求項１２】
容量性電力伝送システムに接続された負荷に電力を供給するための製品であって、
絶縁表面と、
前記絶縁表面に取り付けられた、電気導電材料からなるセグメントであって、前記セグメントは前記容量性電力伝送システムの送信機の第１電極を形成するセグメントと、
前記絶縁表面に取り付けられ、前記セグメントに電気接続された第１供給ラインと、
前記絶縁表面に取り付けられ、前記セグメントに電気接続しない第２供給ラインとを有し、前記第２供給ラインは交差点において電気接続することなく前記第１供給ラインと交差することによって、容量性電力のための電力グリッドを供給するための隣接する製品への交替電位接続を可能にし、前記他のセグメントは、前記容量性電力伝送システムの前記送信機の第２電極を形成する、製品。
【請求項１３】
容量性電力伝送システムに接続された負荷に電力を供給するための製品であって、
電気導電材料からなる第１セグメントが取り付けられた第１絶縁表面であって、前記第１セグメントは前記容量性電力伝送システムの送信機の第１電極を形成する第１絶縁表面と、
電気導電材料からなる第２セグメントが取り付けられた第２絶縁表面であって、前記第２セグメントは前記容量性電力伝送システムの送信機の第２電極を形成する第２絶縁表面と、
前記第１セグメント及び前記第２セグメントにわたり取り付けられ、前記第１セグメントへの第１電気接触を確立する第１供給ラインと、
前記第１セグメント及び前記第２セグメントにわたり取り付けられ、前記第２セグメントへの第２電気接触を確立する第２供給ラインとを有する、製品。
【請求項１４】
容量性電力伝送システム内に接続された負荷に電力を供給するための製品であって、
非導電材料からなる複数の絶縁層と、
電気導電材料からなる導電層の少なくともペアとを有し、前記複数の導電層は、前記複数の絶縁層のうちの１つによって互いに隔離され、前記導電層のペアの第１導電層は第１極性の電位に接続され、前記導電層のペアの第２導電層は前記第１極性とは反対の第２極性の電位に接続され、前記導電層ペアは、前記容量性電力伝送システムの送信機電極の少なくともペアを形成する、製品。
【請求項１５】
前記非導電材料及び前記導電材料は可撓性材料である、請求項１４に記載の製品。
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
反復サイクルにおいて充填位置と放出位置の間の所与の経路に沿う、少なくとも１つの成形キャビティを中に有する成形プレートと、
成形可能な食品を送り出す食品ポンプと、
前記成形プレートが前記充填位置にあるときに前記食品ポンプを前記成形キャビティに接続する充填通路と、
前記成形プレートに隣接して前記充填通路中に介在された充填プレートと、
を含み、
前記充填プレートが、前記充填プレートがその充填位置にあるときに前記成形キャビティと並べられたある領域にわたり所定のパターンで分布された多数の充填オリフィスを有し、
前記充填オリフィスが前記充填プレートを貫通する通路を画定し、前記充填オリフィスは、円筒部に交差する球形部を有する、
食品パティ成形機。
【請求項２】
ベンチュリ効果を生じさせるために円筒部と交差する球形部から構成された多数のオリフィスを含む通気プレート。
【請求項３】
前記球形部の直径対前記円筒部の直径の比率が、成形可能な食品が前記通気プレートを通過するときに前記成形可能な食品にベンチュリ効果を生じさせる比率である、請求項２に記載の通気プレート。
【請求項４】
前記成形可能な食品が肉を含む、請求項１に記載の食品パティ成形機。
【請求項５】
前記機械が、前記成形可能な食品中のミオシンのアクチンとの分離および混合を低減する、請求項１に記載の食品パティ成形機。
【請求項６】
前記機械が、前記成形可能な食品中の線維の配向を制御する、請求項１に記載の食品パティ成形機。
【請求項７】
前記機械が、より少ないミオシン活動性をもたらし、それにより、より良い噛み心地／結合および前記成形可能な食品の最終料理形状に制御がもたらされる、請求項１に記載の食品パティ成形機。
【請求項８】
前記機械が、前記成形可能な食品の線維を整列させ伸長させるために、食品を加速する、請求項１に記載の食品パティ成形機。
【請求項９】
前記通気プレートオリフィスが、より大きい直径からより小さい直径に寸法を変化する、請求項１に記載の食品パティ成形機。
【請求項１０】
前記充填オリフィスは、前記充填オリフィスを介した対応する圧力低下を有する製品加速をもたらす、請求項１に記載の食品パティ成形機。
【請求項１１】
少なくとも１つの成形キャビティを中に有する成形プレートと、
前記成形プレートに接続された成形プレート駆動装置と、
食品ポンプであって、前記成形プレートが充填位置にあるときに食品ポンプを前記成形キャビティに接続する充填通路を通して成形可能な食品を送り出す食品ポンプと、
前記成形プレートに隣接して前記充填通路中に介在された充填プレートと、
通気プレートと、
前記通気プレートの領域にわたり所定のパターンで分布された多数の通気プレートオリフィスと、
を含み、
前記通気プレートオリフィスが、円筒部に接続された球形部を有し、前記球形部は固定点からの収縮部であり、前記収縮部の距離は前記固定点から等距離である、食品成形機。
【請求項１２】
充填されたパティキャビティから空気および余分な食品物質の蓄積を排するオリフィスを含み、前記オリフィスが球形部を円筒状の孔に形成することによってベンチュリ効果をもたらす食品成形機用の通気プレート。
【請求項１３】
前記オリフィスが前記オリフィスを通る食品物質を加速する、請求項１２に記載の通気プレート。
【請求項１４】
前記オリフィスが自己浄化式通気プレートを形成する、請求項１２に記載の通気プレート。
【請求項１５】
前記球形部が、全ての方向において等しい圧力を生成する、請求項１２に記載の通気プレート。
【請求項１６】
反復サイクルにおいて充填位置と放出位置の間の所与の経路に沿う、少なくとも１つの成形キャビティを中に有する成形プレートと、
成形可能な食品を送り出す食品ポンプと、
前記成形プレートが前記充填位置にあるときに前記食品ポンプを前記成形キャビティに接続する充填通路と、
前記成形プレートに隣接して前記充填通路中に介在された充填プレートであって、
前記充填プレートが、充填スロット、充填ホーン、または前記充填プレートがその充填位置にあるとき、前記成形キャビティと整列されるある領域にわたり所定のパターンで分布された多数の充填オリフィスを有し、前記充填オリフィスが前記充填プレートを貫通する通路を画定し、前記充填オリフィスが、ベンチュリ効果を生じさせるための円筒部に交差する球形部を有し、前記球形部は固定点からの収縮部であり、前記収縮部の距離は前記固定点から等距離である、充填プレートと、
前記成形プレートと反対の前記充填プレートの側に隣接して前記充填通路中に介在され、前記充填位置と放出位置の間で前記成形プレート経路に対して直角の経路に沿って移動可能であるストリッパプレートであって、
前記ストリッパプレートが、前記ストリッパプレート駆動装置が前記充填位置にあるとき、前記充填オリフィスとその延長部として一対一で整列される多数の充填開口部を有し、ストリッパプレート駆動装置が、その充填位置と放出位置の間で前記成形プレート駆動装置と同期される、ストリッパプレートと、
を含む、食品成形機。
【請求項１７】
ベンチュリ効果を生じさせる円筒部と交差する球形部から構成された多数のオリフィスを含む、パティ成形機のための充填プレート。
【請求項１８】
円筒部と交差する球形部から構成された多数のオリフィスを含み、前記球形部の直径と前記円筒部の直径の比率が、成形可能な食品が前記充填プレートを通過するときに前記成形可能な食品にベンチュリ効果を生じさせる比率である、充填プレート。
【請求項１９】
垂直切断において成形可能な食品の切断を促進する厚さである、ストリッパプレートに隣接する側のコーティングを有する、請求項１の食品パティ成形機のための充填プレート。
【請求項２０】
前記成形可能な食品が肉を含む、請求項１６に記載の食品成形機。
【請求項２１】
前記充填オリフィスが、前記成形可能な食品中のミオシンのアクチンとの分離および混合を低減する、請求項１６に記載の食品成形機。
【請求項２２】
前記充填オリフィスが、前記成形可能な食品中の線維の配向を制御する、請求項１６に記載の食品成形機。
【請求項２３】
前記充填オリフィスが、より少ないミオシン活動性をもたらし、それにより、より良い噛み心地／結合および前記成形可能な食品の最終料理形状に制御がもたらされる、請求項１６に記載の食品成形機。
【請求項２４】
前記充填オリフィスが、前記成形可能な食品の線維を整列させ伸長させるために、食品を加速する、請求項１６に記載の食品成形機。
【請求項２５】
前記充填オリフィスが、より大きい直径からより小さい直径に寸法を変化する、請求項１６に記載の食品成形機。
【請求項２６】
オリフィスを介した対応する圧力低下を有する製品加速をもたらすオリフィスを含む、請求項１６に記載の食品成形機。
【手続補正書】
【提出日】平成27年9月2日(2015.9.2)
【手続補正１】
【補正対象書類名】特許請求の範囲
【補正対象項目名】全文
【補正方法】変更
【補正の内容】
【特許請求の範囲】
【請求項１】
摂取前および摂取中に動物を遊びに誘導するために適する食用可能な動物用おしゃぶりおよび遊戯玩具であって、らせん形状である食用材料からなる食用可能な動物用おしゃぶりおよび遊戯玩具。
【請求項２】
前記らせん形状の内径対前記らせん形状の外径の比率が１：２〜１：１４である、請求項１に記載の食用可能な動物用おしゃぶりおよび遊戯玩具。
【請求項３】
前記らせん形状の外径対食用材料の直径の比率が１：２．５〜１：２８である、請求項１に記載の食用可能な動物用おしゃぶりおよび遊戯玩具。
【請求項４】
前記らせん形状の外径対前記らせん形状のピッチの比率が１：１〜１：１０である、請求項１に記載の食用可能な動物用おしゃぶりおよび遊戯玩具。
【請求項５】
前記らせん形状の内径対前記らせん形状のピッチの比率が１：１．７５〜１：２０である、請求項１に記載の食用可能な動物用おしゃぶりおよび遊戯玩具。
【請求項６】
前記食用材料の直径対前記らせん形状の内径の比率が１：０．５〜１：１０である、請求項１に記載の食用可能な動物用おしゃぶりおよび遊戯玩具。
【請求項７】
前記らせん形状が約０．０１〜約１インチの範囲のピッチを含む、請求項１に記載の食用可能な動物用おしゃぶりおよび遊戯玩具。
【請求項８】
前記らせん形状が約１〜約２０インチの範囲の全体の長さを含む、請求項１に記載の食用可能な動物用おしゃぶりおよび遊戯玩具。
【請求項９】
前記食用材料が、円形、六角形、多角形、星形、三角形または花形の形状の横断面周囲形状を備える、請求項１に記載の食用可能な動物用おしゃぶりおよび遊戯玩具。
【請求項１０】
前記食用材料が、肉、穀物、澱粉、肉粉、タンパク質、繊維、砂糖、ビタミン、ミネラル、芳香、着色、フレーバ、油分、吸湿剤、防腐剤およびその組合せからなる群から選択された１つまたは複数の食用原材料を含む、請求項１に記載の食用可能な動物用おしゃぶりおよび遊戯玩具。
【請求項１１】
前記食用材料が、充填物を備える、請求項１に記載の食用可能な動物用おしゃぶりおよび遊戯玩具。
【請求項１２】
前記充填物が、肉、穀物、澱粉、肉粉、タンパク質、繊維、砂糖、ビタミン、ミネラル、芳香、着色、フレーバ、油分、吸湿剤、防腐剤およびその組合せからなる群から選択された１つまたは複数の食用原材料を含む、請求項１１に記載の食用可能な動物用おしゃぶりおよび遊戯玩具。
【請求項１３】
前記食用材料が、押出成形されたペットフード材料である、請求項１に記載の食用可能な動物用おしゃぶりおよび遊戯玩具。
【請求項１４】
摂取前および摂取中に動物を遊びに誘導するために適する食用可能な動物用おしゃぶりおよび遊戯玩具を作製するための方法であって、
食用材料を共押出成形するステップと、
前記食用材料をらせん形状に形成するステップと
を含む方法。
【請求項１５】
前記らせん形状の内径対前記らせん形状の外径の比率が１：２〜１：１４である、請求項１４に記載の方法。
【請求項１６】
前記らせん形状の外径対前記食用材料の直径の比率が１：２．５〜１：２８である、請求項１４に記載の方法。
【請求項１７】
前記らせん形状の外径対前記らせん形状のピッチの比率が１：１〜１：１０である、請求項１４に記載の方法。
【請求項１８】
前記らせん形状の内径対前記らせん形状のピッチの比率が１：１．７５〜１：２０である、請求項１４に記載の方法。
【請求項１９】
前記食用材料の直径対前記らせん形状の内径の比率が１：０．５〜１：１０である、請求項１４に記載の方法。
【請求項２０】
前記らせん形状が約０．０１〜約１インチの範囲のピッチを含む、請求項１４に記載の方法。
【請求項２１】
前記らせん形状が約１〜約２０インチの範囲の全体の長さを含む、請求項１４に記載の方法。
【請求項２２】
前記食用材料内に充填物を共押出成形するステップを含む、請求項１４に記載の方法。
【手続補正書】
【提出日】平成27年9月14日(2015.9.14)
【手続補正１】
【補正対象書類名】特許請求の範囲
【補正対象項目名】全文
【補正方法】変更
【補正の内容】
【特許請求の範囲】
【請求項１】
調理された成形食肉品であって、
前記成形食肉品内に一方向に整列された繊維を有し、
前記成形食肉品は、制御された繊維の長さを有する、成形食肉品。
【請求項２】
前記成形食肉品の料理形状が調理面に依存しない、請求項１に記載の成形食肉品。
【請求項３】
前記成形食肉品が、前記成形食肉品が熱せされたときの焼き器との一定の接触による一定の色を有する、請求項１に記載の成形食肉品。
【請求項４】
前記成形食肉品の成形が、前記成形食肉品の成形中により少ない混合を必要とする、請求項１に記載の成形食肉品。
【請求項５】
前記成形食肉品が、前記成形食肉品の成形中にミオシンのアクチンとの低減された分離および混合を有する、請求項１に記載の成形食肉品。
【請求項６】
前記成形食肉品が調理された後、均一に冷める、請求項１に記載の成形食肉品。
【請求項７】
前記成形食肉品は、前記成形食肉品の成形中にアクチンおよびミオシンの分離がほとんどまたは全くない、請求項１に記載の成形食肉品。
【請求項８】
前記成形食肉品の製造が、前記成形食品を絞らず、従って、前記成形食肉品の細胞膜から絞られるより少ないアクチンがある、請求項１に記載の成形食肉品。
【請求項９】
前記成形食肉品の筋線維の収縮が、噛み心地および縮みの両方を制御する選択方向にある、請求項１に記載の成形食肉品。
【請求項１０】
前記成形食肉品の製造の間、ミオシンのアクチンとの低減された分離および混合があり、それにより前記成形食肉品中の制御される繊維の配向が補助され、より少ないミオシン活動性によってより良い噛み心地／結合および前記成形食肉品の最終料理形状に制御がもたらされる、請求項１に記載の成形食肉品。
【請求項１１】
調理された食肉パティを提供する方法であって、
ベンチュリ或いは圧力降下を用いることによって、食肉パティ内に整列された筋線維と制御された筋線維の配向とを有する食肉パティを成形するステップと、
食肉パティを焼き器に置くステップと、
形状を前記食肉パティの直径において一定に変化させるステップと、
前記食肉パティからの食肉の剥がれ落ちがほとんどまたは全くないステップと、
前記食肉パティの調理の間形状を保持するステップと、
前記食肉パティを前記焼き器に一定に接触させ、前記食肉パティに一定の色を生じさせるステップと、
を含む方法。
【請求項１２】
成形食肉品を製造する方法であって、
前記食肉品を、ベンチュリ効果を生じさせる装置に通して置くステップと、
前記食肉品中の線維を整列するステップと、
制御された繊維の長さを有する前記食肉品を成形するステップと、を含む方法。